(57)【要約】【課題】ドライバーの重心距離をなるべく変えずに、重心深度を調整可能なドライバーを実現することにある。【解決手段】ヘッドと、前記ヘッドに連結されたシャフトと、前記ヘッドの重心深度を調整するための重量体と、を備え、前記ヘッドには、前記重量体が位置可能な重量体位置部が複数設けられているドライバーであって、複数の前記重量体位置部は、前記シャフトの軸を中心とした仮想円の円周上に設けられていることを特徴とする。【選択図】図５
2016120120.tif 000002
【特許請求の範囲】
【請求項１】
ヘッドと、
前記ヘッドに連結されたシャフトと、
前記ヘッドの重心深度を調整するための重量体と、を備え、
前記ヘッドには、前記重量体が位置可能な重量体位置部が複数設けられているドライバーであって、
複数の前記重量体位置部は、前記シャフトの軸を中心とした仮想円の円周上に設けられていることを特徴とするドライバー。
【請求項２】
請求項１に記載のドライバーにおいて、
前記重量体位置部は、離散的に複数設けられていることを特徴とするドライバー。
【請求項３】
請求項２に記載のドライバーにおいて、
前記重量体位置部が離散的に合計でＮ個設けられており、
前記Ｎ個の重量体位置部の全てが、前記シャフトの軸を中心とした仮想円の円周上に設けられていることを特徴とするドライバー。
【請求項４】
請求項２に記載のドライバーにおいて、
複数の前記重量体位置部が、前記シャフトの軸を中心とした第一仮想円の円周上に設けられており、
前記第一仮想円の円周上に設けられた複数の前記重量体位置部とは異なる他の複数の前記重量体位置部が、前記シャフトの軸を中心とし、かつ、前記第一仮想円と半径が異なる第二仮想円の円周上に設けられていることを特徴とするドライバー。
【請求項５】
請求項１に記載のドライバーにおいて、
前記重量体位置部は、連続的に複数設けられ、前記重量体をガイドするガイド部となっており、
前記ガイド部が、前記シャフトの軸を中心とした仮想円の円周上に設けられていることを特徴とするドライバー。
【請求項６】
請求項５に記載のドライバーにおいて、
前記ガイド部が、前記シャフトの軸を中心とした第一仮想円の円周上に設けられており、
前記ガイド部とは異なる他のガイド部が、前記シャフトの軸を中心とし、かつ、前記第一仮想円と半径が異なる第二仮想円の円周上に設けられていることを特徴とするドライバー。
【発明の詳細な説明】
【技術分野】
【０００１】
本発明は、ドライバーに関する。
【背景技術】
【０００２】
ヘッドとヘッドに連結されたシャフトとを備えたドライバーは既によく知られている。
【０００３】
かかるドライバーの中には、ユーザー自身により、ドライバーの重心深度を調整することができるようになっているものがある。
【０００４】
そして、ドライバーには、当該重心深度を調整するための重量体が設けられている。
【先行技術文献】
【特許文献】
【０００５】
【特許文献１】実願２００９−８９６３号公報
【発明の概要】
【発明が解決しようとする課題】
【０００６】
従来、重量体を移動させて、ドライバーの重心深度を調整することが行われていたが、かかる際には、重心距離が大きく変わってしまう場合があった。重心距離は、ドライバーの振り易さに密接に関連するパラメーターなので、重心距離が変わると、ユーザーのドライバーを振る感覚（振りやすさ）に変化が生じてしまうこととなっていた。
【０００７】
本発明は、上記のような従来の問題に鑑みなされたものであって、その主な目的は、ドライバーの重心距離をなるべく変えずに、重心深度を調整可能なドライバーを実現することにある。
【課題を解決するための手段】
【０００８】
主たる本発明は、ヘッドと、
前記ヘッドに連結されたシャフトと、
前記ヘッドの重心深度を調整するための重量体と、を備え、
前記ヘッドには、前記重量体が位置可能な重量体位置部が複数設けられているドライバーであって、
複数の前記重量体位置部は、前記シャフトの軸を中心とした仮想円の円周上に設けられていることを特徴とするドライバーである。
【０００９】
本発明の他の特徴については、本明細書及び添付図面の記載により明らかにする。
【図面の簡単な説明】
【００１０】
【図１】本実施の形態に係るドライバー１の概略斜視図である。
【図２】本実施の形態に係るヘッド１０の概略正面図である。
【図３】本実施の形態に係るヘッド１０の概略横断面図である。
【図４】ヘッド１０に調整用ネジ２０が取り付けられている様子を示した斜視模式図である。
【図５】シャフト軸３０ａとネジ取り付け部２４の位置関係を説明するための説明模式図である。
【図６】ヘッド１０に調整用ネジ２０が取り付けられている様子を示した変形例に係る斜視模式図である。
【図７】シャフト軸３０ａとネジ取り付け部２４の位置関係を説明するための変形例に係る説明模式図である。
【図８】ヘッド１０に調整用ネジ２０が取り付けられている様子を示した第二実施形態に係る斜視模式図である。
【図９】シャフト軸３０ａとネジ取り付け部２４の位置関係を説明するための第二実施形態に係る説明模式図である。
【図１０】ヘッド１０に調整用ネジ２０が取り付けられている様子を示した第二実施形態の変形例に係る斜視模式図である。
【図１１】シャフト軸３０ａとネジ取り付け部２４の位置関係を説明するための第二実施形態の変形例に係る説明模式図である。
【発明を実施するための形態】
【００１１】
本明細書及び添付図面の記載により、少なくとも次のことが明らかにされる。
【００１２】
ヘッドと、
前記ヘッドに連結されたシャフトと、
前記ヘッドの重心深度を調整するための重量体と、を備え、
前記ヘッドには、前記重量体が位置可能な重量体位置部が複数設けられているドライバーであって、
複数の前記重量体位置部は、前記シャフトの軸を中心とした仮想円の円周上に設けられていることを特徴とするドライバー。
【００１３】
かかる場合には、ドライバーの重心距離をなるべく変えずに、重心深度を調整可能なドライバーを実現することが可能となる。
【００１４】
また、前記重量体位置部は、離散的に複数設けられていることとしてもよい。
【００１５】
かかる場合には、重量体位置部の構造がより単純であるため、容易な製造が可能となる。
【００１６】
また、前記重量体位置部が離散的に合計でＮ個設けられており、
前記Ｎ個の重量体位置部の全てが、前記シャフトの軸を中心とした仮想円の円周上に設けられていることとしてもよい。
【００１７】
かかる場合には、ドライバーの重心距離をなるべく変えずに、重心深度を調整可能なドライバーを効率的に実現することが可能となる。
【００１８】
また、複数の前記重量体位置部が、前記シャフトの軸を中心とした第一仮想円の円周上に設けられており、
前記第一仮想円の円周上に設けられた複数の前記重量体位置部とは異なる他の複数の前記重量体位置部が、前記シャフトの軸を中心とし、かつ、前記第一仮想円と半径が異なる第二仮想円の円周上に設けられていることとしてもよい。
【００１９】
かかる場合には、ドライバーの重心距離をなるべく変えずに、重心深度を調整可能なドライバーを実現する利点を維持しつつ、重心深度の調整に係る利便性を向上させることが可能となる。
【００２０】
また、前記重量体位置部は、連続的に複数設けられ、前記重量体をガイドするガイド部となっており、
前記ガイド部が、前記シャフトの軸を中心とした仮想円の円周上に設けられていることとしてもよい。
【００２１】
かかる場合には、重心深度を綿密に調整することが可能となる。
【００２２】
また、前記ガイド部が、前記シャフトの軸を中心とした第一仮想円の円周上に設けられており、
前記ガイド部とは異なる他のガイド部が、前記シャフトの軸を中心とし、かつ、前記第一仮想円と半径が異なる第二仮想円の円周上に設けられていることとしてもよい。
【００２３】
かかる場合には、ドライバーの重心距離をなるべく変えずに、重心深度を調整可能なドライバーを実現する利点を維持しつつ、重心深度の調整に係る利便性を向上させることが可能となる。
【００２４】
＝＝＝ドライバー１の構成例について＝＝＝
＜＜＜ドライバー１の基本構成について＞＞＞
図１は、本実施の形態に係るドライバー１の概略斜視図である。図２は、本実施の形態に係るヘッド１０の概略正面図である。図３は、本実施の形態に係るヘッド１０の概略横断面図である。
【００２５】
ドライバー１は、１番ウッドに相当するゴルフクラブであり、図１に示すように、ヘッド１０と、筒状のホーゼル１１を介してヘッド１０に連結されたシャフト３０と、を有している。
【００２６】
シャフト３０には、その一端にヘッド１０が接続され、反対側の他端にグリップ（不図
示）が接続されている。
【００２７】
ヘッド１０は、図１乃至図３に示すように、前面を形成するフェース部１２と、上面を形成するクラウン部１３と、下面を形成するソール部１４と、クラウン部１３とソール部１４との間に設けられ側面を形成するサイド部１５と、を有している。そして、これらのフェース部１２、クラウン部１３、ソール部１４、及びサイド部１５は、一体となってヘッド１０の外形をなし、ヘッド１０の内部は中空に形成されている。
【００２８】
フェース部１２は、スイングの際にゴルフボールが当接する打球面に設けられ、例えば、チタン合金等の軽量金属を用いて鋳造または鍛造等により形成された板状の部材である。クラウン部１３は、ヘッド１０の上面全体を覆うように設けられ、面積比率５０％以上が比重２．０以下の素材からなるシート、例えば、カーボン繊維を織成して熱硬化性樹脂を含浸させたシート（プレプリグ）を複数層積層して形成される部材である。ソール部１４は、ヘッド１０の下面に設けられ、例えば、チタン合金等の軽量金属を用いて鋳造または鍛造等により形成された部材である。
【００２９】
＜＜＜ドライバー１の重心深度調整機構について＞＞＞
本実施の形態に係るドライバー１においては、ユーザー自身により、ドライバー１の重心位置、より具体的には、ドライバー１の重心深度を調整することができるようになっている。
【００３０】
すなわち、重心深度が深い場合には、スイートスポットのエリアが広くなり、芯を外してもヘッド１０のブレが小さくなる。したがって、ドライバー１の重心深度を深く調整すれば、ドライバー１の設定を初心者向けの設定にすることができる。
【００３１】
一方で、重心深度が浅い場合には、スイートスポットのエリアが狭くなり、芯を外した場合にヘッド１０のブレが大きくなるが、その代わりに、以下に説明するメリットが存在する。
【００３２】
すなわち、図３に示すように、重心の上下方向における高さを変えないで、重心深度を浅くした場合には（例えば、図３において、重心をＧ１からＧ２へ移動させた場合には）、フェース部１２（打球面）におけるスイートスポットの位置（重心からフェース部１２へ垂線を下ろしたときのフェース部１２における位置）がより低い位置となる（図３において、Ｓ１からより低いＳ２へ移動する）。そのため、ギヤ効果により（換言すると、重心より高めでボールが打たれ易くなるため）、高い打ち出しと低スピンを実現することができ、飛距離を稼ぐことができる。
【００３３】
つまり、ドライバー１の重心深度を浅く調整すれば、芯を外した場合にヘッド１０のブレが大きくなるが、芯を外さないようにして上手く打てれば飛距離を稼ぐことができるので、ドライバー１の設定を上級者向けの設定にすることができる。
【００３４】
このように、本実施の形態に係るドライバー１においては、ユーザーが自身のゴルフスキルに応じてドライバー１の重心深度（重心位置）を調整することにより、理想のドライバー１を実現できるようになっている。
【００３５】
そして、図４に示すように、ヘッド１０には、当該重心深度（重心位置）を調整するための部材として、付け替え可能な複数（本実施の形態においては、３つ）の重量体の一例としてのネジ（以下、調整用ネジ２０と呼ぶ）が設けられている。この３つの調整用ネジ２０のうち、１つがタングステン製の１２ｇ（グラム）のネジ（便宜上、調整用重量ネジ２０ａと呼ぶ）となっており、他の２つがアルミニウム製の２ｇ（グラム）のネジ（便宜上、調整用軽量ネジ２０ｂと呼ぶ）となっている。
【００３６】
また、ヘッド１０（具体的には、図４に示すように、ヘッド１０のソール部１４の表面）には、当該調整用ネジ２０（重量体）が位置可能な重量体位置部の一例としてのネジ取り付け部２４（具体的には、ネジ穴）が離散的に複数（本実施の形態においては、３箇所）設けられている。そして、３箇所のネジ取り付け部２４の各々に３つの調整用ネジ２０のうちのいずれかを取り付けることにより、重心深度（重心位置）の調整（変更）ができるようになっている。なお、以下では、最もフェース部１２に近いネジ取り付け部２４を第一ネジ取り付け部２４ａ、次にフェース部１２に近いネジ取り付け部２４を第二ネジ取り付け部２４ｂ、最もフェース部１２から遠いネジ取り付け部２４を第三ネジ取り付け部２４ｃとする。
【００３７】
つまり、図４の左図のように、第一ネジ取り付け部２４ａに調整用重量ネジ２０ａが取り付けられ、第二ネジ取り付け部２４ｂ及び第三ネジ取り付け部２４ｃに調整用軽量ネジ２０ｂが取り付けられた場合には、ドライバー１の重心深度が浅く調整され、前述した上級者向けのドライバー１が実現される。一方、図４の右図のように、第三ネジ取り付け部２４ｃに調整用重量ネジ２０ａが取り付けられ、第一ネジ取り付け部２４ａ及び第二ネジ取り付け部２４ｂに調整用軽量ネジ２０ｂが取り付けられた場合には、ドライバー１の重心深度が深く調整され、前述した初心者向けのドライバー１が実現される。なお、図示はしていないが、第二ネジ取り付け部２４ｂに調整用重量ネジ２０ａが取り付けられ、第一ネジ取り付け部２４ａ及び第三ネジ取り付け部２４ｃに調整用軽量ネジ２０ｂが取り付けられた場合には、ドライバー１の重心深度が中間に調整され、中級者向けのドライバー１が実現される。
【００３８】
ところで、重心深度を調整するために重心位置を変更すると、通常、重心距離（つまり、重心からシャフトの軸までの距離。換言すれば、重心からシャフトの軸へ垂線を下ろしたときの垂線の長さ）も変わってしまう。重心距離は、ドライバーの振り易さに密接に関連するパラメーターなので、重心距離が変わると、ユーザーのドライバーを振る感覚（振りやすさ）に変化が生じてしまう。例えば、重心距離が大きくなれば、ユーザーは振りにくいという感覚を持つこととなる。
【００３９】
したがって、重心深度を調整する際には、なるべく現状の重心距離をそのまま維持してドライバーの振りやすさに変化を与えずに、重心位置が変更されることが望ましい。
【００４０】
しかしながら、従来は、このようなことが全く考慮されておらず、ドライバーの重心深度を調整する際に、重心距離が大きく変わってしまっていた。そのため、ユーザーのドライバーを振る感覚（振りやすさ）に変化が生じてしまうこととなっていた。
【００４１】
これに対し、本実施の形態に係るドライバー１においては、複数の重量体位置部（つまり、３箇所のネジ取り付け部２４）が、シャフト３０の軸（シャフト軸３０ａ）を中心とした円（実際に円があるわけではなく、仮想的な円。以下、仮想円Ｃと呼ぶ）の円周上に設けられている。このことにより、上述の問題を解決できるようになっている。
【００４２】
図５は、シャフト軸３０ａとネジ取り付け部２４の位置関係を説明するための説明模式図であり、シャフト軸３０ａの軸方向から各々のネジ取り付け部２４を見たときの図である。図５には、シャフト軸３０ａが黒点で、３箇所のネジ取り付け部２４の位置が白点で、表されている。
【００４３】
図５に示すように、第一ネジ取り付け部２４ａ、第二ネジ取り付け部２４ｂ、第三ネジ取り付け部２４ｃが、シャフト軸３０ａを中心とした仮想円Ｃの円周上に設けられている。
【００４４】
換言すれば、複数（３箇所）のネジ取り付け部２４の各々からシャフト軸３０ａまでの距離（複数（３箇所）のネジ取り付け部２４の各々からシャフト軸３０ａへ垂線を下ろしたときの垂線の長さ）が等しくなるように、複数（３箇所）のネジ取り付け部２４が配置されている。具体的には、第一ネジ取り付け部２４ａからシャフト軸３０ａまでの距離（第一ネジ取り付け部２４ａからシャフト軸３０ａへ垂線を下ろしたときの垂線の長さ）と、第二ネジ取り付け部２４ｂからシャフト軸３０ａまでの距離（第二ネジ取り付け部２４ｂからシャフト軸３０ａへ垂線を下ろしたときの垂線の長さ）と、第三ネジ取り付け部２４ｃからシャフト軸３０ａまでの距離（第三ネジ取り付け部２４ｃからシャフト軸３０ａへ垂線を下ろしたときの垂線の長さ）と、が等しくなるように、第一ネジ取り付け部２４ａ、第二ネジ取り付け部２４ｂ、第三ネジ取り付け部２４ｃが配置されている。
【００４５】
このように、本実施の形態においては、３箇所のネジ取り付け部２４が、シャフト軸３０ａを中心とした仮想円Ｃの円周上に設けられているので、調整用重量ネジ２０ａが３箇所のネジ取り付け部２４のどこに取り付けられたとしても、調整用重量ネジ２０ａからシャフト軸３０ａまでの距離は変化しない。同様に、調整用軽量ネジ２０ｂが３箇所のネジ取り付け部２４のどこに取り付けられたとしても、調整用軽量ネジ２０ｂからシャフト軸３０ａまでの距離は変化しない。そのため、調整用ネジ２０（調整用重量ネジ２０ａや調整用軽量ネジ２０ｂ）の取り付け位置を変えても、重心位置からシャフト軸３０ａまでの距離である重心距離を殆ど変えないようにすることができる。
【００４６】
したがって、なるべく現状の重心距離をそのまま維持してドライバーの振りやすさに変化を与えずに、重心深度を調整することが可能となる。すなわち、本実施の形態によれば、ドライバー１の重心距離をなるべく変えずに、重心深度を調整可能なドライバー１を実現することが可能となる。
【００４７】
また、本実施の形態においては、ネジ取り付け部２４が離散的に合計でＮ個（本実施の形態においては、３個）設けられており、Ｎ個（３個）のネジ取り付け部２４の全てが、シャフト３０のシャフト軸３０ａを中心とした仮想円Ｃの円周上に設けられていることとした。
【００４８】
そのため、ネジ取り付け部２４の全てが、重心距離をなるべく変えずに重心深度を調整する効果に寄与しているため、無駄なネジ取り付け部２４がなく、ドライバー１の重心距離をなるべく変えずに、重心深度を調整可能なドライバー１を効率的に実現することが可能となる。
【００４９】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５０】
上記実施の形態においては、重量体として調整用ネジ２０を、重量体位置部としてネジ取り付け部２４（ネジ穴）を例に挙げて説明したが、これに限定されるものではなく、ネジやネジ穴でなくても構わない。例えば、ヘッド１０に重量体位置部として嵌合穴が設けられており、ボール状の重量体を嵌合穴に嵌め込むこととしてもよい。
【００５１】
また、上記実施の形態においては、重量体位置部（ネジ取り付け部２４）が３つ設けられていることとしたが、これに限定されるものでなく、２つでもよいし、４つ以上であってもよい。
【００５２】
また、上記実施の形態においては、調整用ネジ２０として２種類の互いに重量が異なる調整用ネジ２０（調整用重量ネジ２０ａ及び調整用軽量ネジ２０ｂ）が設けられていることとしたが、これに限定されるものではなく、３種類以上の互いに重量が異なる調整用ネジ２０が設けられていることとしてもよい。
【００５３】
また、上記実施の形態においては、３箇所のネジ取り付け部２４に３つの調整用ネジ２０が取り付けられることとした。すなわち、ネジ取り付け部２４の数と調整用ネジ２０の数が同じであることとしたが、これに限定されるものではなく、調整用ネジ２０の数がネジ取り付け部２４の数よりも少ない場合であってもよい。例えば、上記実施の形態において、調整用軽量ネジ２０ｂが存在せず、一つの調整用重量ネジ２０ａのみが存在し、この一つの調整用重量ネジ２０ａを３箇所のネジ取り付け部２４のいずれかに取り付ける実施形態であっても構わない。
【００５４】
＜＜＜変形例について＞＞＞
また、複数のネジ取り付け部２４が、シャフト軸３０ａを中心とした第一仮想円Ｃ１の円周上に設けられており、第一仮想円Ｃ１の円周上に設けられた複数のネジ取り付け部２４とは異なる他の複数のネジ取り付け部２４が、シャフト軸３０ａを中心とし、かつ、第一仮想円Ｃ１と半径が異なる第二仮想円Ｃ２の円周上に設けられていることとしてもよい。すなわち、上記実施の形態においては、複数（３箇所）のネジ取り付け部２４が並ぶ円が一つであったが複数あってもよい。
【００５５】
図６は、図４に対応した図であり、ヘッド１０に調整用ネジ２０が取り付けられている様子を示した変形例に係る斜視模式図である。図７は、図５に対応した図であり、シャフト軸３０ａとネジ取り付け部２４の位置関係を説明するための変形例に係る説明模式図である。
【００５６】
図６及び図７に示すように、当該変形例においては、前述した３つの調整用ネジ２０（１つの調整用重量ネジ２０ａ及び２つの調整用軽量ネジ２０ｂ）と３箇所のネジ取り付け部２４の組が二組存在する。そして、一組目Ｐ１については、３箇所のネジ取り付け部２４が第一仮想円Ｃ１の円周上に設けられ、二組目Ｐ２については、３箇所のネジ取り付け部２４が第二仮想円Ｃ２の円周上に設けられている。
【００５７】
このように、３つの調整用ネジ２０と３箇所のネジ取り付け部２４の組を二組設けると、重心深度を調整する際に、ユーザーは一組目Ｐ１と二組目Ｐ２のどちらかを選択できる。どちらの組においても、ネジ取り付け部２４が円周上に設けられているので、いずれの組をユーザーが選択しても、同じように、ドライバー１の重心距離をなるべく変えずに重心深度を調整できるという前述したメリットは維持される。しかしながら、一組目Ｐ１と二組目Ｐ２とでは、重心深度の変更度合いが異なるので、微調整を行いたい場合には、一方を選び、大きく重心深度を変えたい場合には、他方を選ぶということができる。このように、変形例によれば、ドライバー１の重心距離をなるべく変えずに、重心深度を調整可能なドライバー１を実現する利点を維持しつつ、重心深度の調整に係る利便性を向上させることが可能となる。
【００５８】
なお、当該変形例においては、複数のネジ取り付け部２４が並ぶ仮想円が第一仮想円Ｃ１と第二仮想円Ｃ２の２つであったが、これに限定されるものではなく、３つ以上であってもよい（３組目以降があってもよい）。
【００５９】
また、各仮想円に並ぶネジ取り付け部２４の数は同数（３箇所）であったが、これに限定されるものではなく、同数でなくても構わない。例えば、第一仮想円Ｃ１については３箇所である一方で、第二仮想円Ｃ２については４箇所であってもよい。
【００６０】
＜＜＜第二実施形態について＞＞＞
また、上記実施の形態（以下、第一実施形態とも呼ぶ）においては、重量体位置部（ネジ取り付け部２４）は、離散的に複数設けられていることとしたが、これに限定されるものではなく、連続的に複数設けられていることとしてもよい。
【００６１】
図８は、図４に対応した図であり、ヘッド１０に調整用ネジ２０が取り付けられている様子を示した第二実施形態に係る斜視模式図である。
【００６２】
図８に示すように、ヘッド１０には、重心深度（重心位置）を調整するための部材として、一つの調整用ネジ２０が設けられている。この調整用ネジ２０はタングステン製の１２ｇ（グラム）のネジとなっている。
【００６３】
また、ヘッド１０（具体的には、図８に示すように、ヘッド１０のソール部１４の表面）には、当該調整用ネジ２０（重量体）が位置可能なネジ取り付け部２４が連続的に複数設けられている。そして、重心深度（重心位置）の調整（変更）のために調整用ネジ２０を移動させるときには、調整用ネジ２０を一旦緩めてから、ネジ取り付け部２４（の長手方向）に沿って所望位置まで動かして、調整用ネジ２０を締めるようになっている。つまり、ネジ取り付け部２４は、調整用ネジ２０を動かすときに調整用ネジ２０をガイドするガイド部になっている。本実施の形態においては、調整用ネジ２０をスライド可能なガイド部のどの位置にも調整用ネジ２０を止めることができるようになっており、ネジ取り付け部２４が、連続的に複数設けられている。
【００６４】
図９は、図５に対応した図であり、シャフト軸３０ａとネジ取り付け部２４の位置関係を説明するための第二実施形態に係る説明模式図である。
【００６５】
図９に示すように、第二実施形態に係るドライバー１においては、連続的に複数設けられたネジ取り付け部２４（つまり、ガイド部）が、シャフト３０の軸（シャフト軸３０ａ）を中心とした仮想円Ｃの円周上に設けられている。すなわち、ガイド部が仮想円Ｃの円弧となっており、ガイド部の長手方向（進行方向）が仮想円Ｃの円周の周方向に沿っている。
【００６６】
そして、このような第二実施形態においても、第一実施形態と同様、ドライバー１の重心距離をなるべく変えずに、重心深度を調整可能なドライバー１を実現することが可能となる。
【００６７】
なお、第一実施形態と第二実施形態とを比べた場合には、第一実施形態の方は、ネジ取り付け部２４の構造がより単純であるため、製造が容易である点で望ましい。一方、第二実施形態の方は、ネジ取り付け部２４が連続的に複数設けられているため、重心深度を綿密に調整することができる点で望ましい。
【００６８】
＜＜＜第二実施形態の変形例について＞＞＞
また、第二実施形態についても、第一実施形態の変形例と同様の変形例が考えられる。すなわち、ガイド部が、シャフト軸３０ａを中心とした第一仮想円Ｃ１の円周上に設けられており、ガイド部とは異なる他のガイド部が、シャフト軸３０ａを中心とし、かつ、第一仮想円Ｃ１と半径が異なる第二仮想円Ｃ２の円周上に設けられていることとしてもよい。すなわち、上記実施の形態においては、ガイド部が位置する仮想円が一つであったが複数あってもよい。
【００６９】
図１０は、図４に対応した図であり、ヘッド１０に調整用ネジ２０が取り付けられている様子を示した第二実施形態の変形例に係る斜視模式図である。図１１は、図５に対応した図であり、シャフト軸３０ａとネジ取り付け部２４の位置関係を説明するための第二実施形態の変形例に係る説明模式図である。
【００７０】
図１０及び図１１に示すように、当該変形例においては、前述した一つの調整用ネジ２０と連続的に複数設けられたネジ取り付け部２４（すなわち、ガイド部）の組が二組存在する。そして、一組目Ｐ１については、ガイド部が第一仮想円Ｃ１の円周上に設けられ、二組目Ｐ２については、ガイド部が第二仮想円Ｃ２の円周上に設けられている。
【００７１】
このように、一つの調整用ネジ２０とガイド部の組を二組設けると、重心深度を調整する際に、ユーザーは一組目Ｐ１と二組目Ｐ２のどちらかを選択できる。どちらの組においても、ガイド部が円周上に設けられているので、いずれの組をユーザーが選択しても、同じように、ドライバー１の重心距離をなるべく変えずに重心深度を調整できるという前述したメリットは維持される。しかしながら、一組目Ｐ１と二組目Ｐ２とでは、重心深度の変更度合いが異なるので、微調整を行いたい場合には、一方を選び、大きく重心深度を変えたい場合には、他方を選ぶということができる。このように、第二実施形態の変形例によれば、ドライバー１の重心距離をなるべく変えずに、重心深度を調整可能なドライバー１を実現する利点を維持しつつ、重心深度の調整に係る利便性を向上させることが可能となる。
【００７２】
なお、当該変形例においても、仮想円の数が３つ以上であってもよい（３組目以降があってもよい）。
【符号の説明】
【００７３】
１  ドライバー
１０  ヘッド
１１  ホーゼル
１２  フェース部
１３  クラウン部
１４  ソール部
１５  サイド部
２０  調整用ネジ
２０ａ  調整用重量ネジ
２０ｂ  調整用軽量ネジ
２４  ネジ取り付け部
２４ａ  第一ネジ取り付け部
２４ｂ  第二ネジ取り付け部
２４ｃ  第三ネジ取り付け部
３０  シャフト
３０ａ  シャフト軸
Ｃ  仮想円
Ｃ１  第一仮想円
Ｃ２  第二仮想円
Ｐ１  一組目
Ｐ２  二組目
【図１】
2016120120.tif 000003
【図２】
2016120120.tif 000004
【図３】
2016120120.tif 000005
【図４】
2016120120.tif 000006
【図５】
2016120120.tif 000007
【図６】
2016120120.tif 000008
【図７】
2016120120.tif 000009
【図８】
2016120120.tif 000010
【図９】
2016120120.tif 000011
【図１０】
2016120120.tif 000012
【図１１】
2016120120.tif 000013